(57)【要約】【課題】故障する可能性のある回転部品や複雑な構造や電気的エネルギーを使用せず、故障の原因となるゴミを除いて、深夜や休日に増水しても確実に防水し、水がひいたら自然に復帰する故障がなく操作人員不要の防水板を提供する。【解決手段】防水板を立ち上げるエネルギーとして、増水につれて下流より雨水排水管を逆流してくる水、又は近傍に設けた雨水排水桝の格子蓋より流れ落ちる水を排水管にてピットの下部より導き、該ピットに載置した浮体の浮力により防水板を立ち上げる。頂部に防水板を立設した浮体の屋根を傾斜面とし、ピット上部には傾斜誘導材を設ける。浮体が上昇するにつれて傾斜誘導材を介して発生する水平力で防水板の凸条歯は構築物に設けた受け枠の弾性帯に押圧される。【選択図】図１
2006291580.tif 000002
【特許請求の範囲】
【請求項１】
構築物の防水する位置に受け枠を設け、該受け枠と同じ巾の防水板を立設した箱型の浮体を載置して地中に埋設した箱型のピットと、格子蓋を嵌めて泥溜まり部を有する雨水排水桝とを排水管で接続したことを特徴とする浮体利用の簡易防水板。
【請求項２】
前記ピットの上部に傾斜誘導材を備え、傾斜屋根を有する前記箱型浮体の頂部に防水板を立設したことを特徴とする請求項１記載の浮体利用の簡易防水板。
【請求項３】
前記受け枠は、左右の縦枠に併設したガイド溝と弾性帯を有し、前記ガイド溝にはガイド溝より深い凹地よりなるストッパ部を有し、前記弾性帯の下端をつなぐ弾性帯を横枠に設け、前記防水板は、前記受け枠のガイド溝を上下に摺動する突起体よりなるガイドを前記ストッパ部と同位置に備え、前記弾性帯と同位置にガイドより高さの低い凸条刃を備えたことを特徴とする請求項１、２記載の浮体利用の簡易防水板。
【発明の詳細な説明】
【技術分野】
【０００１】
本発明は大雨や異常潮位等による増水の際に構築物の内部へ水が浸入するのを防ぐ防水板に関する。
【背景技術】
【０００２】
従来よりビル、地下街等の施設に設置する防水板は、その出入り口において両側の壁に垂直軸を介して防水板を左右方向に開閉する機種、または床面に設けた水平軸を介して防水板を垂直方向に回転させて床面から起立させる機構のものがある。
【０００３】
しかしながら、いずれの機構も操作人員が必要であるとか電気的エネルギーを使用しているため、深夜や休日、災害時にありがちな停電のため作動しないとかいうことが多い。
そこで、操作人員不要、電気不使用の防水扉というものが提供されている。
例えば、防水扉の起立装置というのがあるが、これは防水扉両側方の摺設板の水密性と摺動性に問題があった。(特許文献１参照。)。
【０００４】
又、防水板の自動操作機構というのがあるが、これは心無い人達が投げ込んだタバコの吸殻やガム等のゴミが浸入して挿通路で目詰まりを起こして防水板が浮上しないとか、浮上したとしても挿通路と防水板との隙間や防水板の側方の隙間からの漏水に問題があった。(特許文献２参照。)。
【０００５】
【特許文献１】特開平９−１３７６３１
【特許文献２】特開平１１−２０７７
【発明の開示】
【発明が解決しようとする課題】
【０００６】
本発明は、以上に述べた従来の防水戸の構成が有していた問題点を解決しようとするものであり、作動エネルギーとして押し寄せてくる水を利用し、ゴミの浸入を防止して故障をなくし、深夜や休日でも作動するように操作人員不要とし、増水初期及び増水時の水密性を高めることを目的としたものである。
【課題を解決するための手段】
【０００７】
そして本発明は上記の目的を達成するために、構築物の防水する位置に受け枠を設け、該受け枠と同じ巾の防水板を立設した箱型の浮体を載置して地中に埋設した箱型のピットと、格子蓋を嵌めて泥溜まり部を有する雨水排水桝とを排水管で接続する構成としたものである。
【０００８】
又、前記ピットの上部に傾斜誘導材を備え、傾斜屋根を有する前記箱型浮体の頂部に防水板を立設した構成としたものである。
【０００９】
それから、前記受け枠は、両側の縦枠に併設したガイド溝と弾性帯を有し、前記ガイド溝には上下にガイド溝より深い凹地よりなるストッパ部を有し、前記弾性帯の下端をつなぐ弾性帯を横枠に設け、前記防水板は、前記受け枠のガイド溝を上下に摺動する突起体よりなるガイドを前記ストッパ部と同位置に備え、前記弾性帯と同位置にガイドより高さの低い凸条歯を備えた構成としたものである。
【発明の効果】
【００１０】
上記解決手段による作用は次の通りである。すなわち浮体を載置したピットに故障の原因となるゴミが浸入するのを防ぐために、格子蓋を嵌めて泥溜まりを有する雨水排水桝と該ピットとを排水管で接続することにより、心無い人達により雨水桝に投げ込まれたタバコの吸殻やガム等の浮くゴミと沈むゴミとを、水の浮力を利用して雨水排水桝の中で上下に分離し、排水管を通じてピットに流れ込まないようにする。
【００１１】
又、第2の解決手段による作用は、ピットの上部に傾斜誘導材を備え、防水板を立設した箱型浮体の屋根を傾斜面にすることにより、増加する水の浮力で浮き上がって前記傾斜誘導材に達すると防水板は斜めに浮き上がって行く。
【００１２】
そして、第3の解決手段による作用は、防水板に設けたガイドが受け枠のガイド溝を摺り上り、4箇所のガイドがストッパ部にはまり込むと、ガイドはストッパ部の水平な上壁面を滑って奥の方へ押し込まれる。同時に防水板に設けた凸条歯が受け枠に設けた弾性帯に押圧されて食い込み初期水密性が確保される。
【実施例１】
【００１３】
以下、本発明の実施例について図１〜図８に基づいて説明する。
【００１４】
図１において、構築物８の防水する位置に受け枠１５を設け、該受け枠と同じ巾の防水板３を立設した箱型の浮体２を載置したピット１を地中に埋設し、近傍に設けた格子蓋５を嵌めて泥溜まり部６を有する雨水排水桝４と、該ピットとを排水管７で接続する。
この構成により、心無い人達により格子蓋より投げ込まれたタバコの吸殻やガム等の浮くゴミ、沈むゴミ等を、増水してきた水により上下に分離して、故障の原因となるゴミがピットに浸入するのを防止出来るものである。
【００１５】
また、図２〜図５において、ピット内の水位の上昇とともに浮体２に立設した防水板３のガイド２０がガイド溝１８に沿って摺り上がり、浮体２の傾斜屋根１１がピット１の上部に備えた傾斜誘導材１０に達すると浮体２は斜めに押し上げられる。直後に４箇所のガイド２０が受け枠１５に設けられたストッパ部２１に嵌まり込み、ガイド２０はストッパ部２１の水平な上壁面を滑って奥の方へ押し込まれる。同時に凸条歯２２１、２２２が弾性帯１９１、１９２に食い込んで防水板３の初期水密性が確保される。
【００１６】
そして、押し寄せてくる水が構築物８に浸入する前の増水初期水位１３の段階で防水板３が立ち上がり、水密性も確保されているため、構築物８内の人達はあわてることなく構築物内に居ても良いし、防水板３をまたいで外に出ても良い。
【００１７】
それから、水位が上昇し、想定増水水位１４に達するまでは防水板３に水圧も加わり凸条歯はより強く弾性帯に押圧される。
【００１８】
この段階で水が引いたら、ストッパ部２１に嵌まり込んでいたガイド２０は水位の低下とともに自然にストッパ部２１から滑り降りて、浮体２は元のようにピット１の床に載置される。このため深夜、休日等でも操作人員不要で防水板３が作動される。
【００１９】
それと、大雨洪水注意報等が出た際に、防水板３を前もって立ち上げておくことが可能なように、また、試運転も可能なように、バルブ２５を設けて雨水排水桝４へホース等で水を溜めることが出来るようにしておいても良い。この構成により、性能に不安を持つ人は試運転をしてみても良いし、前日の退社前に防水板を立ち上げたままにしておけば、安心して帰宅することも出来る。
【００２０】
それから、想定増水水位１４以上に増水しそうな水勢の場合には構築物の内部に居る人が図６の逆L型防水板２４を手で持ち上げて対処する。この場合は防水板に凸条歯がないため水密性は少し悪くなる。
【００２１】
なお使用材料としては、防水板や浮体やピットや受け枠は腐食しにくく強度のあるステンレス鋼（SUS３０４）等とし、弾性帯は耐久性や弾力性に優れたクロロプレンゴムやシリコンゴム、ウレタンゴムや独立気泡の発泡ゴム等が適当であろう。また、ガイド２０や傾斜誘導材１０等摩擦抵抗の発生する箇所には滑りを良くするためフッ素樹脂等を使用しても良い。
【００２２】
より安価にするために箱型の浮体は発泡スチロールで作り、出隅部が欠けないようにアングル等で補強しても良い。また、ピットはコンクリート製としても良い。また、ステンレス薄板で製作した浮体に穴があいても中に水を入れないために、または、補強鋼材の代わりに内部を価格の安いウレタンフォームや発泡スチロール等で充填しても良い。
【００２３】
浮体の重心が重い防水板の方へ偏心して、浮き上がる際にガイド溝やピットの周壁に防水板や浮体の角が斜めに押圧されて摩擦抵抗が発生するため、2箇所の角にL型鋼よりなるガイドレールを立設し、前記２本のガイド溝と該２本のL型ガイドレールに沿って箱型の浮体がスムーズに上昇するようにしても良い。また、偏心を少なくするように全体の寸法や角度、使用材料等に調整は必要となる。
【００２４】
実施の一例を各部の寸法を基に述べてみる。
防水しようとするビルの１階の出入り口の巾を２ｍ、想定増水水位を今までのその地域の経験上１階の床面より例えば０．３ｍとする。箱型浮体の屋根の傾斜を４５度、間口巾を２ｍ、高さを０．７ｍと０．３ｍ、奥行きを０．４ｍ、防水板の高さを浮体の頂部より０．４ｍ、板厚は１ｍ位までの水圧に耐えるもの、自重を８０ｋｇとし、各部の摩擦抵抗を０と想定する。
その際発生する浮力は自重を引くと３２０ｋｇとなるが、１６０ｋｇの力で受け枠に押圧されるため充分の水密性が得られる。また、ビルの中の人が防水板をまたいで外へ出る際に、防水板の上に脚を載せたとしても１６０ｋｇの浮力があるため沈むことはなく安全である。
【図面の簡単な説明】
【００２５】
【図１】本発明の浮体利用の簡易防水板の構成を示す断面図。
【図２】同受け枠と浮体の断面図。
【図３】同受け枠と防水板の構成を示す斜視図。
【図４】同縦枠と防水板の拡大横断面図。
【図５】同横枠と防水板の拡大縦断面図。
【図６】同縦枠と防水板の拡大横断面図。
【図７】同横枠と防水板の拡大縦断面図。
【図８】同逆L型防水板の拡大断面図。
【符号の説明】
【００２６】
１  ピット
２  浮体
３  防水板
４  雨水排水桝
５  格子蓋
６  泥溜まり部
７  排水管
８  構築物床面
９  通路床面
１０  傾斜誘導材
１１  傾斜屋根
１２  点検蓋兼床板（錠付き）
１３  増水初期水位
１４  想定増水水位
１５  受け枠
１６  縦枠
１７  横枠
１８  ガイド溝
１９１  弾性帯（縦）
１９２  弾性帯(横)
２０  ガイド
２１  ストッパ部
２２１  凸条歯（縦）
２２２  凸条歯（横）
２３  カバー
２４  逆L型防水板
２５  バルブ
【図１】
2006291580.tif 000003
【図２】
2006291580.tif 000004
【図３】
2006291580.tif 000005
【図４】
2006291580.tif 000006
【図５】
2006291580.tif 000007
【図６】
2006291580.tif 000008
【図７】
2006291580.tif 000009
【図８】
2006291580.tif 000010